(57)【特許請求の範囲】
【請求項１】
アンカー工法における引張材であるＰＣ鋼線の測定装置であって、
スケーリングされた磁気テープが固定されたバーと、このバー上を摺動させることで、前記ＰＣ鋼線の伸び量を表示するデジタル表示の伸び量の表示部と、前記表示部に固定されるワイヤーと、このワイヤーを巻き取ると共に、巻き取る方向にテンションを加える前記ワイヤーの巻き取り部とで構成され、
前記ワイヤーの引き出し部が、ＰＣ鋼線に固定され、ＰＣ鋼線の伸びに応じてワイヤーが巻き取り部に巻き取られて移動し、このワイヤーに固定されている前記表示部もワイヤーの移動に対応して前記バー上を摺動し、前記磁気テープとの間で移動量を検知し、移動量に応じた信号をデジタル信号に変換しデジタル表示することを特徴とするアンカー工法における引張材であるＰＣ鋼線の測定装置。
【請求項２】
前記表示部とワイヤーの固定は、クリップであることを特徴とする請求項１記載のアンカー工法における引張材であるＰＣ鋼線の測定装置。
【請求項３】
前記バーと前記ワイヤーの巻き取り部とは、基板部に固定されていることを特徴とする請求項１又は２記載のアンカー工法における引張材であるＰＣ鋼線の測定装置。
【発明の詳細な説明】
【０００１】
【発明の属する技術分野】
本発明は、アンカー工法における引張材であるＰＣ鋼線の測定装置に係わり、特に、表示を見やすくしたアンカー工法における引張材であるＰＣ鋼線の測定装置に関する。
【０００２】
【従来の技術】
従来より、ＰＣアンカー工法においては、所定通り施工されているか否かの試験をするために、ＰＣ鋼線の延び量の試験が行われている。
図６は、従来の試験の状況を示した図である。
図６において、１１はＰＣ鋼線、１２は伸び量測定用のゲージ、１３はＰＣ鋼線１１とゲージ１２とを連結する連結部材であり、ＰＣ鋼線１１が伸び、その結果、ゲージの測定部１４が、矢印Ｃ方向に押されると、その押され量に応じて、ＰＣ鋼線１１の伸び量がゲージ１２に表示されるように構成されている。
【０００３】
しかし、上記したゲージ１２は、針式のアナログ表示であるため、伸び量を簡単に読みとれないという欠点があった。
【０００４】
【発明が解決しようとする課題】
本発明の目的は、上記した従来技術の欠点を改良し、特に、伸び量を簡単に読み取り可能に構成し、以て、読み間違えをなくした新規なアンカー工法における引張材であるＰＣ鋼線の測定装置を提供するものである。
【０００５】
【課題を解決するための手段】
本発明は上記した目的を達成するため、基本的には、以下に記載されたような技術構成を採用するものである。
即ち、本発明に係わるアンカー工法における引張材であるＰＣ鋼線の測定装置の第１態様は、
アンカー工法における引張材であるＰＣ鋼線の測定装置であって、
スケーリングされた磁気テープが固定されたバーと、このバー上を摺動させることで、前記ＰＣ鋼線の伸び量を表示するデジタル表示の伸び量の表示部と、前記表示部に固定されるワイヤーと、このワイヤーを巻き取ると共に、巻き取る方向にテンションを加える前記ワイヤーの巻き取り部とで構成され、
前記ワイヤーの引き出し部が、ＰＣ鋼線に固定され、ＰＣ鋼線の伸びに応じてワイヤーが巻き取り部に巻き取られて移動し、このワイヤーに固定されている前記表示部もワイヤーの移動に対応して前記バー上を摺動し、前記磁気テープとの間で移動量を検知し、移動量に応じた信号をデジタル信号に変換しデジタル表示することを特徴とするものであり、
【０００６】
又、第２態様は、
前記表示部とワイヤーの固定は、クリップであることを特徴とし、
【０００７】
又、第３態様は、
前記バーと前記ワイヤーの巻き取り部とは、基板部に固定されていることを特徴とするものである。
【０００８】
【発明の実施の形態】
以下に、本発明に係わるアンカー工法における引張材であるＰＣ鋼線の測定装置の発明の実施の形態を図面を参照しながら詳細に説明する。
図１は、本発明の構成を示す図、図２は、スケーリングされた磁気テープが固定されたバー上に表示部を組み付けた状態を示す部分斜視図、図３は、表示部のワイヤー固定部を示す部分斜視図である。
【０００９】
図において、１は基板部、２は、基板部１に固定され、スケーリングされた磁気テープ３を組み付けた板状のバー、４は、スケーリングされた磁気テープ３が固定されたバー２上を摺動させることで、引張材としてのＰＣ鋼線７の伸び量を表示するデジタル表示の伸び量の表示部、５は、表示部４に固定されるワイヤー、６は、ワイヤー５を巻き取ると共に、ワイヤー５を巻き取る方向にテンションを加えるワイヤーの巻き取り部である。
【００１０】
ワイヤーの巻き取り部６は、基板部１の端部に固定され、また、表示部４は、表示部に設けられた挿通部４１がバー２に嵌合して、表示部４がバー２上を摺動出来るように構成されている。ワイヤー５は、図３に示したように表示部４の固定部４２に固定されて、ワイヤー５の移動と共に、バー２上を摺動するように構成されている。
【００１１】
前記ワイヤー５の引き出し部５ａは、ＰＣ鋼線７の端部に固定され、ＰＣ鋼線７の伸びに応じてワイヤー５は巻き取り部６に巻き取られて移動する。このワイヤー５に固定されている表示部４は、前記ワイヤー５の移動に対応して前記バー２上を摺動し、前記磁気テープ３との間で移動量を検知し、移動量に応じた信号をデジタル信号に変換しデジタル表示する。
【００１２】
このように構成したアンカー工法における引張材であるＰＣ鋼線の測定装置において、引張材としてのＰＣ鋼線７の伸び量を測定する場合を、具体的に説明する。
先ず、ＰＣ鋼線７と測定装置のワイヤー５とを連結部材８でしっかりと連結する。次に、ＰＣ鋼線７を引っ張り、所定の荷重をかけ、緊張させた状態にする。この時、図１に示すように、表示部４をバー３の端部近傍、即ち、ワイヤーの巻き取り部６と反対側の端部近傍に位置させ、この位置で、表示部４のリセットスイッチ４３を押して、表示部４の表示を０にリセットし、測定準備を完了する。この状態では、表示部４は、ワイヤーの巻き取り部６で、矢印Ａ方向に引っ張られている。
【００１３】
この状態で、ＰＣ鋼線７に更に荷重をかけると、ＰＣ鋼線７は、矢印Ｂ方向に引っ張られて伸びる。表示部４は、ワイヤー５で、ＰＣ鋼線の伸び方向である矢印Ｂ方向と同方向の矢印Ａ方向に引っ張られているから、ＰＣ鋼線７の伸びと共に矢印Ａ方向に移動し、その結果、表示部４には、表示部４の移動量、即ち、ＰＣ鋼線７の延び量が表示される。この場合、表示部４の表示は、デジタル表示であるから、表示部４の表示を読み違えることなく、容易に読み取ることが出来る。
【００１４】
図４および図５は本発明の他の実施の形態を示す表示部の斜視図及びワイヤー固定部の斜視図である。本例は固定部４２としてクリップ４２ａを使用したもので、表示部４はワイヤー５にクリップ４２ａにて固定される。他は前記実施の形態と同様であるので、同一符号を付して詳細な説明は省略する。本例によればワイヤー５の巻き取り方向へのテンションを変えて表示部へのテンションを調整することができる利点がある。
【００１５】
【発明の効果】
以上詳細に説明した通り、本発明に係わるアンカー工法における引張材であるＰＣ鋼線の測定装置は、上述のように構成したので、簡単な構造で、しかも、間違えることなく、引張材であるＰＣ鋼線の伸び量を測定することが出来る。
【図面の簡単な説明】
【図１】  本発明に係わるアンカー工法における引張材であるＰＣ鋼線の測定装置の構成を示す斜視図である。
【図２】  スケーリングされた磁気テープが固定されたバー上に表示部を組み付けた状態を示す部分斜視図である。
【図３】  表示部にワイヤーを固定した状態を示す部分斜視図である。
【図４】  本発明の他の実施の形態を示す表示部の斜視図である。
【図５】  本発明の他の実施の形態を示すワイヤー固定部の斜視図である。
【図６】  従来技術を示す斜視図である。
【符号の説明】
１  基板部
２  バー
３  スケーリングされた磁気テープ
４  伸び量の表示部
４１  表示部の挿通部
４２  表示部のワイヤー固定部
４３  表示部のリセットスイッチ
５  ワイヤ−
５ａ  ワイヤーの引き出し部
６  ワイヤ−の巻き取り部
７  ＰＣ鋼線（引張材）
８  連結部材
【図１】
0004972736.tif 000002
【図２】
0004972736.tif 000003
【図３】
0004972736.tif 000004
【図４】
0004972736.tif 000005
【図５】
0004972736.tif 000006
【図６】
0004972736.tif 000007